(57)【要約】  ワイヤレス通信のための方法、システム、およびデバイスが説明される。ワイヤレスデバイスは、チャネル状態インジケータ（ＣＳＩ）リポーティングのためのランクインジケータ（ＲＩ）フィードバックパラメータを指定する送信モードを識別し得、適切なＣＳＩ構成がＲＩを除外すると決定し得る。デバイスは、次いで、プリコーディング行列インジケータ（ＰＭＩ）をもち（with）、ＲＩをもたない（without）、ＣＳＩリポートを送り得、それは送信モードを使用して通信し得る。いくつかの場合には、ＰＭＩは、デフォルトランク（たとえば、単一のアンテナをもつデバイスの場合、１のランク）に基づき得る。いくつかの場合には、デバイスのカテゴリーまたは能力が識別され得、ＣＳＩ構成がＲＩを除外するという決定は、そのカテゴリーまたは能力に基づき得る。他の場合には、ＣＳＩ構成はチャネル条件に基づき得る。いくつかの場合には、基準信号（たとえば、ＣＲＳ）が、デバイスの能力に応じてフィードバックとして使用され得る。
2019501569.tif 000002
【特許請求の範囲】
【請求項１】
ワイヤレス通信の方法であって、
チャネル状態情報（ＣＳＩ）リポーティングのためのランクインジケータ（ＲＩ）フィードバックパラメータを指定する送信モードを識別することと、
ユーザ機器（ＵＥ）カテゴリーを識別することと、
前記ＵＥカテゴリーに少なくとも部分的に基づいて、ＣＳＩ構成がＲＩを除外すると決定することと、
前記ＣＳＩ構成に従って前記送信モードを使用して通信することと
を備える、方法。
【請求項２】
前記ＣＳＩ構成に少なくとも部分的に基づいてＣＳＩリポートを送信することをさらに備え、ここにおいて、前記通信することが、前記ＣＳＩリポートに少なくとも部分的に基づいてダウンリンク（ＤＬ）シグナリングを受信することを備える、
請求項１に記載の方法。
【請求項３】
前記ＣＳＩリポートがプリコーディング行列インジケータ（ＰＭＩ）を備え、ここにおいて、前記ＰＭＩが前記ＲＩに少なくとも部分的に基づく、請求項２に記載の方法。
【請求項４】
前記ＣＳＩ構成に少なくとも部分的に基づいてＣＳＩリポートを受信することをさらに備え、ここにおいて、前記通信することが、前記ＣＳＩリポートに少なくとも部分的に基づいてＤＬシグナリングを送信することを備える、
請求項１に記載の方法。
【請求項５】
前記ＣＳＩリポートがＰＭＩを備え、ここにおいて、前記ＰＭＩが前記ＲＩに少なくとも部分的に基づく、請求項４に記載の方法。
【請求項６】
前記ＵＥカテゴリーの指示を送信することをさらに備え、ここにおいて、前記ＵＥカテゴリーの前記指示がランクを示す、
請求項１に記載の方法。
【請求項７】
前記ＵＥカテゴリーの指示を受信することをさらに備え、ここにおいて、ＵＥカテゴリーの前記指示がランクを示す、
請求項１に記載の方法。
【請求項８】
前記通信することのためのチャネルを表す行列を推定することと、
デフォルトＲＩに少なくとも部分的に基づいてＰＭＩを選択することと、
前記ＰＭＩに対応するチャネル品質インジケータ（ＣＱＩ）を決定することと、ここにおいて、前記通信することが、前記ＣＱＩと前記ＰＭＩとを送信することを備える、
をさらに備える、請求項１に記載の方法。
【請求項９】
前記ＣＳＩ構成が周期的リポーティング構成を備え、前記通信することは、
ＰＭＩ、ＲＩ、またはＣＱＩが送信のために利用可能である場合、制御チャネルを使用して前記ＰＭＩ、前記ＲＩ、または前記ＣＱＩのうちの少なくとも１つを送信することと、前記ＰＭＩ、前記ＲＩまたは前記ＣＱＩが送信のために利用不可能である場合、前記制御チャネルを送信することを控えることと
を備える、請求項１に記載の方法。
【請求項１０】
ＵＥのカテゴリーに少なくとも部分的に基づいて、チャネル推定のために使用するための基準信号タイプを識別することと、
前記識別された基準信号タイプの基準信号を使用してＰＭＩまたはＣＱＩのうちの少なくとも１つを決定することと、ここにおいて、前記通信することが、前記ＰＭＩまたは前記ＣＱＩを送信することを備える、
をさらに備える、請求項１に記載の方法。
【請求項１１】
前記識別された基準信号タイプがセル固有基準信号（ＣＲＳ）を備える、請求項１０に記載の方法。
【請求項１２】
ワイヤレス通信のための装置であって、
チャネル状態情報（ＣＳＩ）リポーティングのためのランクインジケータ（ＲＩ）フィードバックパラメータを指定する送信モードを識別するための手段と、
ユーザ機器（ＵＥ）カテゴリーを識別するための手段と、
前記ＵＥカテゴリーに少なくとも部分的に基づいて、ＣＳＩ構成がＲＩを除外すると決定するための手段と、
前記ＣＳＩ構成に従って前記送信モードを使用して通信するための手段と
を備える、装置。
【請求項１３】
前記ＣＳＩ構成に少なくとも部分的に基づいてＣＳＩリポートを送信するための手段をさらに備え、ここにおいて、通信するための前記手段が、前記ＣＳＩリポートに少なくとも部分的に基づいてダウンリンク（ＤＬ）シグナリングを受信するための手段を備える、
請求項１２に記載の装置。
【請求項１４】
前記ＣＳＩリポートがプリコーディング行列インジケータ（ＰＭＩ）を備え、ここにおいて、前記ＰＭＩが前記ＲＩに少なくとも部分的に基づく、請求項１３に記載の装置。
【請求項１５】
前記ＣＳＩ構成に少なくとも部分的に基づいてＣＳＩリポートを受信するための手段をさらに備え、ここにおいて、通信するための前記手段が、前記ＣＳＩリポートに少なくとも部分的に基づいてＤＬシグナリングを送信するための手段を備える、
請求項１２に記載の装置。
【請求項１６】
前記ＣＳＩリポートがＰＭＩを備え、ここにおいて、前記ＰＭＩが前記ＲＩに少なくとも部分的に基づく、請求項１９に記載の装置。
【請求項１７】
前記ＵＥカテゴリーの指示を送信するための手段をさらに備え、ここにおいて、前記ＵＥカテゴリーの前記指示がランクを示す、
請求項１２に記載の装置。
【請求項１８】
前記ＵＥカテゴリーの指示を受信するための手段をさらに備え、ここにおいて、ＵＥカテゴリーの前記指示がランクを示す、
請求項１２に記載の装置。
【請求項１９】
前記通信することのためのチャネルを表す行列を推定するための手段と、
デフォルトＲＩに少なくとも部分的に基づいてＰＭＩを選択するための手段と、
前記ＰＭＩに対応するチャネル品質インジケータ（ＣＱＩ）を決定するための手段と、ここにおいて、前記通信することが、前記ＣＱＩと前記ＰＭＩとを送信することを備える、
をさらに備える、請求項１２に記載の装置。
【請求項２０】
前記ＣＳＩ構成が周期的リポーティング構成を備え、通信するための前記手段は、
ＰＭＩ、ＲＩまたはＣＱＩが送信のために利用可能である場合、制御チャネルを使用して前記ＰＭＩ、前記ＲＩ、または前記ＣＱＩのうちの少なくとも１つを送信するための手段と、
前記ＰＭＩ、前記ＲＩまたは前記ＣＱＩが送信のために利用不可能である場合、前記制御チャネルを送信することを控えるための手段と
を備える、請求項１２に記載の装置。
【請求項２１】
ＵＥのカテゴリーに少なくとも部分的に基づいて、チャネル推定のために使用するための基準信号タイプを識別するための手段と、
前記識別された基準信号タイプの基準信号を使用してＰＭＩまたはＣＱＩのうちの少なくとも１つを決定するための手段と、ここにおいて、前記通信することが、前記ＰＭＩまたは前記ＣＱＩを送信することを備える、
をさらに備える、請求項１２に記載の装置。
【請求項２２】
前記識別された基準信号タイプがセル固有基準信号（ＣＲＳ）を備える、請求項１２に記載の装置。
【請求項２３】
ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
チャネル状態情報（ＣＳＩ）リポーティングのためのランクインジケータ（ＲＩ）フィードバックパラメータを指定する送信モードを識別することと、
ユーザ機器（ＵＥ）カテゴリーを識別することと、
前記ＵＥカテゴリーに少なくとも部分的に基づいて、ＣＳＩ構成がＲＩを除外すると決定することと、
前記ＣＳＩ構成に従って前記送信モードを使用して通信することと
を行わせるように動作可能である、
装置。
【請求項２４】
前記命令が、前記装置に、
前記ＣＳＩ構成に少なくとも部分的に基づいてＣＳＩリポートを送信することと、
前記ＣＳＩリポートに少なくとも部分的に基づいてダウンリンク（ＤＬ）シグナリングを受信することと
を行わせるように動作可能である、請求項２３に記載の装置。
【請求項２５】
前記ＣＳＩリポートがプリコーディング行列インジケータ（ＰＭＩ）を備え、ここにおいて、前記ＰＭＩが前記ＲＩに少なくとも部分的に基づく、請求項２４に記載の装置。
【請求項２６】
前記命令が、前記装置に、
前記ＣＳＩ構成に少なくとも部分的に基づいてＣＳＩリポートを受信することと、
前記ＣＳＩリポートに少なくとも部分的に基づいてダウンリンク（ＤＬ）シグナリングを送信することと
を行わせるように動作可能である、請求項２３に記載の装置。
【請求項２７】
前記ＣＳＩリポートがＰＭＩを備え、ここにおいて、前記ＰＭＩが前記ＲＩに少なくとも部分的に基づく、請求項２６に記載の装置。
【請求項２８】
前記命令が、前記装置に、
前記ＵＥカテゴリーの指示を送信させるように動作可能であり、ここにおいて、前記ＵＥカテゴリーの前記指示がランクを示す、
請求項２３に記載の装置。
【請求項２９】
前記命令が、前記装置に、
前記ＵＥカテゴリーの指示を受信させるように動作可能であり、ここにおいて、ＵＥカテゴリーの前記指示がランクを示す、請求項２３に記載の装置。
【請求項３０】
前記命令が、前記装置に、
前記通信することのためのチャネルを表す行列を推定することと、
デフォルトＲＩに少なくとも部分的に基づいてプリコーディング行列インジケータ（ＰＭＩ）を選択することと、
前記ＰＭＩに対応するチャネル品質インジケータ（ＣＱＩ）を決定することと、
前記ＣＱＩと前記ＰＭＩとを送信することと
を行わせるように動作可能である、請求項２３に記載の装置。
【請求項３１】
前記ＣＳＩ構成が周期的リポーティング構成を備え、前記命令は、前記装置に、
プリコーディング行列インジケータ（ＰＭＩ）、ＲＩまたはＣＱＩが送信のために利用可能である場合、制御チャネルを使用して前記ＰＭＩまたは前記ＣＱＩのうちの少なくとも１つを送信することと、
前記ＰＭＩ、前記ＲＩまたは前記ＣＱＩが送信のために利用不可能である場合、前記制御チャネルを送信することを控えることと
を行わせるように動作可能である、請求項２３に記載の装置。
【請求項３２】
前記命令が、前記プロセッサに、
ＵＥのカテゴリーに少なくとも部分的に基づいて、チャネル推定のために使用するための基準信号タイプを識別することと、
前記識別された基準信号タイプの基準信号を使用してプリコーディング行列インジケータ（ＰＭＩ）またはＣＱＩのうちの少なくとも１つを決定することと
を行わせるように動作可能であり、ここにおいて、前記通信することが、前記ＰＭＩまたは前記ＣＱＩを送信することを備える、
請求項２３に記載の装置。
【請求項３３】
前記識別された基準信号タイプがセル固有基準信号（ＣＲＳ）を備える、請求項３２に記載の装置。
【請求項３４】
ワイヤレス通信のためのコードを記憶する非一時的コンピュータ可読媒体であって、前記コードは、
チャネル状態情報（ＣＳＩ）リポーティングのためのランクインジケータ（ＲＩ）フィードバックパラメータを指定する送信モードを識別することと、
ユーザ機器（ＵＥ）カテゴリーを識別することと、
前記ＵＥカテゴリーに少なくとも部分的に基づいて、ＣＳＩ構成がＲＩを除外すると決定することと、
前記ＣＳＩ構成に従って前記送信モードを使用して通信することと
を行うために実行可能な命令を備える、非一時的コンピュータ可読媒体。
【発明の詳細な説明】
【技術分野】
【０００１】
相互参照
[0001]本特許出願は、各々が本出願の譲受人に譲渡された、２０１６年６月２４日に出願された、「Channel Station Information Reporting and Transmission Mode for Enhanced Machine Type Communication」と題する、Ｒｉｃｏ  Ａｌｖａｒｉｎｏらによる米国特許出願第１５／１９２，４５２号、および２０１５年１１月１３日に出願された、「Channel Station Information Reporting and Transmission Mode for Enhanced Machine Type Communication」と題する、Ｒｉｃｏ  Ａｌｖａｒｉｎｏらによる米国仮特許出願第６２／２５４，８４５号の優先権を主張する。
【背景技術】
【０００２】
[0002]以下は、一般にワイヤレス通信に関し、より詳細には、拡張マシンタイプ通信（ＭＴＣ：machine type communication）のためのチャネル状態情報（ＣＳＩ：channel state information）リポーティングおよび送信モードに関する。
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかの場合には、ＵＥは、低コストまたは低複雑度デバイス（たとえば、ＭＴＣデバイス）であり得る。たとえば、ＵＥは単一のアンテナを有し得、複数のアンテナをもつデバイスのためにも使用される、送信モードを使用して基地局と通信し得る。送信モードによって指定された、ＣＳＩリポーティングを含む、チャネルフィードバックルールは、システム内の低コスト、低複雑度ＵＥに対する影響を顧慮せずに、マルチアンテナデバイスとの通信に基づき得るかまたはマルチアンテナデバイスとの通信のために選択され得る。
【発明の概要】
【０００５】
[0005]低複雑度ワイヤレスデバイスは、チャネル状態インジケータ（ＣＳＩ）リポーティングのためのランクインジケータ（ＲＩ：rank indicator）フィードバックパラメータを指定する送信モードを識別し得るが、適切なＣＳＩ構成がＲＩを除外すると決定し得る。デバイスは、次いで、プリコーディング行列インジケータ（ＰＭＩ）をもつ、ＲＩをもたないＣＳＩリポートを送り得、送信モードを使用して通信し続け得る。いくつかの場合には、ＰＭＩは、デフォルトランク（たとえば、単一のアンテナをもつデバイスの場合、１のランク）に基づき得る。いくつかの場合には、ユーザ機器（ＵＥ）カテゴリーが識別され得、ＣＳＩ構成がＲＩを除外するという決定は、ＵＥカテゴリーに少なくとも部分的に基づき得る。他の場合には、ＣＳＩ構成はチャネル条件に基づき得る。
【０００６】
[0006]ワイヤレス通信の方法が説明される。本方法は、チャネル状態情報（ＣＳＩ）リポーティングのためのランクインジケータ（ＲＩ）フィードバックパラメータを指定する送信モードを識別することと、ＣＳＩ構成がＲＩを除外すると決定することと、ＣＳＩ構成に従って送信モードを使用して通信することとを含み得る。
【０００７】
[0007]ワイヤレス通信のための装置が説明される。本装置は、ＣＳＩリポーティングのためのＲＩフィードバックパラメータを指定する送信モードを識別するための手段と、ＣＳＩ構成がＲＩを除外すると決定するための手段と、ＣＳＩ構成に従って送信モードを使用して通信するための手段とを含み得る。
【０００８】
[0008]さらなる装置が説明される。本装置は、プロセッサと、プロセッサと電子通信しているメモリと、メモリに記憶された命令とを含み得る。命令は、プロセッサに、ＣＳＩリポーティングのためのＲＩフィードバックパラメータを指定する送信モードを識別することと、ＣＳＩ構成がＲＩを除外すると決定することと、ＣＳＩ構成に従って送信モードを使用して通信することとを行わせるように動作可能であり得る。
【０００９】
[0009]ワイヤレス通信のための非一時的コンピュータ可読媒体が説明される。本非一時的コンピュータ可読媒体は、プロセッサに、ＣＳＩリポーティングのためのＲＩフィードバックパラメータを指定する送信モードを識別することと、ＣＳＩ構成がＲＩを除外すると決定することと、ＣＳＩ構成に従って送信モードを使用して通信することとを行わせるための命令を含み得る。
【００１０】
[0010]上記で説明された方法、装置、または非一時的コンピュータ可読媒体のいくつかの例は、ＣＳＩ構成に基づいてＣＳＩリポートを送信するためのプロセス、特徴、手段、または命令をさらに含み得、ここで、通信することが、ＣＳＩリポートに基づいてダウンリンク（ＤＬ）シグナリングを受信することを備える。
【００１１】
[0011]上記で説明された方法、装置、または非一時的コンピュータ可読媒体のいくつかの例では、ＣＳＩリポートはプリコーディング行列インジケータ（ＰＭＩ）を備え、ここで、ＰＭＩがＲＩに基づく。
【００１２】
[0012]上記で説明された方法、装置、または非一時的コンピュータ可読媒体のいくつかの例は、ＣＳＩ構成に基づいてＣＳＩリポートを受信するためのプロセス、特徴、手段、または命令をさらに含み得、ここで、通信することが、ＣＳＩリポートに基づいてＤＬシグナリングを送信することを備える。
【００１３】
[0013]上記で説明された方法、装置、または非一時的コンピュータ可読媒体のいくつかの例では、ＣＳＩリポートはＰＭＩを備え、ここで、ＰＭＩがＲＩに基づく。
【００１４】
[0014]上記で説明された方法、装置、または非一時的コンピュータ可読媒体のいくつかの例は、ＵＥカテゴリーを識別するためのプロセス、特徴、手段、または命令をさらに含み得、ここで、ＣＳＩ構成がＲＩを除外するという決定は、ＵＥカテゴリーに基づく。
【００１５】
[0015]上記で説明された方法、装置、または非一時的コンピュータ可読媒体のいくつかの例は、ＵＥカテゴリーの指示（indication）を送信するためのプロセス、特徴、手段、または命令をさらに含み得、ここで、ＵＥカテゴリーの指示がランクを示す。
【００１６】
[0016]上記で説明された方法、装置、または非一時的コンピュータ可読媒体のいくつかの例は、ＵＥカテゴリーの指示を受信するためのプロセス、特徴、手段、または命令をさらに含み得、ここで、ＵＥカテゴリーの指示がランクを示す。
【００１７】
[0017]上記で説明された方法、装置、または非一時的コンピュータ可読媒体のいくつかの例は、ＣＳＩ構成を示す無線リソース制御（ＲＲＣ：radio resource control）シグナリングを受信するためのプロセス、特徴、手段、または命令をさらに含み得る。
【００１８】
[0018]上記で説明された方法、装置、または非一時的コンピュータ可読媒体のいくつかの例では、通信することは、ＣＳＩ構成に従ってＰＭＩを送信することを備え、ここで、ＰＭＩが、ＲＲＣシグナリングによって構成されるデフォルトランクインジケータに関連する。
【００１９】
[0019]上記で説明された方法、装置、または非一時的コンピュータ可読媒体のいくつかの例は、ＣＳＩ構成を示すＲＲＣシグナリングを送信するためのプロセス、特徴、手段、または命令をさらに含み得る。
【００２０】
[0020]上記で説明された方法、装置、または非一時的コンピュータ可読媒体のいくつかの例では、通信することは、ＣＳＩ構成に従ってＰＭＩを受信することを備え、ここで、ＰＭＩが、ＲＲＣシグナリングによって構成されるデフォルトランクインジケータに関連する。
【００２１】
[0021]上記で説明された方法、装置、または非一時的コンピュータ可読媒体のいくつかの例は、チャネル条件パラメータがしきい値を下回ると決定するためのプロセス、特徴、手段、または命令をさらに含み得、ここで、ＣＳＩ構成がＲＩを除外するという決定は、チャネル条件パラメータがしきい値を下回るという決定に基づく。
【００２２】
[0022]上記で説明された方法、装置、または非一時的コンピュータ可読媒体のいくつかの例は、ＲＩインデックスを識別するためのプロセス、特徴、手段、または命令をさらに含み得、ここで、ＣＳＩ構成がＲＩを除外するという決定は、ＲＩインデックスに基づく。
【００２３】
[0023]上記で説明された方法、装置、または非一時的コンピュータ可読媒体のいくつかの例は、通信することのためのチャネルを表す行列を推定することと、デフォルトＲＩに基づいてＰＭＩを選択することと、ＰＭＩに対応するチャネル品質インジケータ（ＣＱＩ：channel quality indicator）を決定することとを行うためのプロセス、特徴、手段、または命令をさらに含み得、ここで、通信することが、ＣＱＩとＰＭＩとを送信することを備える。
【００２４】
[0024]上記で説明された方法、装置、または非一時的コンピュータ可読媒体のいくつかの例では、ＣＳＩ構成は周期的リポーティング構成を備え、通信することは、ＰＭＩ、ＲＩまたはＣＱＩが送信のために利用可能である場合（if）、制御チャネルを使用してＰＭＩ、ＲＩ、またはＣＱＩのうちの少なくとも１つを送信することと、ＰＭＩ、ＲＩまたはＣＱＩが送信のために利用不可能である場合、制御チャネルを送信することを控えることとを備える。
【００２５】
[0025]上記で説明された方法、装置、または非一時的コンピュータ可読媒体のいくつかの例では、ＣＳＩ構成は周期的リポーティング構成を備え、通信することは、共有チャネルのためにスケジュールされたＣＳＩリポートとアップリンク送信との間の衝突を識別することを備える。上記で説明された方法、装置、または非一時的コンピュータ可読媒体のいくつかの例は、共有チャネルを使用してＰＭＩを送信するためのプロセス、特徴、手段、または命令をさらに含み得る。
【００２６】
[0026]上記で説明された方法、装置、または非一時的コンピュータ可読媒体のいくつかの例では、ＣＳＩ構成は、送信モードのダウンリンク制御情報（ＤＣＩ：downlink control information）フォーマットに関連する非周期的リポーティング構成を備え、通信することは、共有チャネルを使用してＰＭＩを送信することを備える。
【００２７】
[0027]上記で説明された方法、装置、または非一時的コンピュータ可読媒体のいくつかの例は、ＵＥのカテゴリーに基づいて、チャネル推定のために使用するための基準信号タイプを識別するためのプロセス、特徴、手段、または命令をさらに含み得る。上記で説明された方法、装置、または非一時的コンピュータ可読媒体のいくつかの例は、識別された基準信号タイプの基準信号を使用してＰＭＩまたはＣＱＩのうちの少なくとも１つを決定するためのプロセス、特徴、手段、または命令をさらに含み得、ここで、通信することが、ＰＭＩまたはＣＱＩを送信することを備える。
【００２８】
[0028]上記で説明された方法、装置、または非一時的コンピュータ可読媒体のいくつかの例では、識別された基準信号タイプはセル固有基準信号（ＣＲＳ：cell-specific reference signal）を備える。
【図面の簡単な説明】
【００２９】
【図１】[0029]本開示の態様による、拡張マシンタイプ通信（ＭＴＣ）のためのチャネル状態情報（ＣＳＩ）リポーティングをサポートするワイヤレス通信システムの一例を示す図。
【図２】[0030]本開示の態様による、拡張ＭＴＣのためのＣＳＩリポーティングをサポートするワイヤレス通信システムの一例を示す図。
【図３】[0031]本開示の態様による、拡張ＭＴＣのためのＣＳＩリポーティングをサポートするシステムにおけるプロセスフローの一例を示す図。
【図４】[0032]本開示の態様による、拡張ＭＴＣのためのＣＳＩリポーティングをサポートするワイヤレスデバイスのブロック図。
【図５】本開示の態様による、拡張ＭＴＣのためのＣＳＩリポーティングをサポートするワイヤレスデバイスのブロック図。
【図６】本開示の態様による、拡張ＭＴＣのためのＣＳＩリポーティングをサポートするワイヤレスデバイスのブロック図。
【図７】[0033]本開示の態様による、拡張ＭＴＣのためのＣＳＩリポーティングをサポートするＵＥを含むシステムのブロック図。
【図８】[0034]本開示の態様による、拡張ＭＴＣのためのＣＳＩリポーティングをサポートする基地局を含むシステムのブロック図。
【図９】[0035]本開示の態様による、拡張ＭＴＣのためのＣＳＩリポーティングのための方法を示す図。
【図１０】本開示の態様による、拡張ＭＴＣのためのＣＳＩリポーティングのための方法を示す図。
【図１１】本開示の態様による、拡張ＭＴＣのためのＣＳＩリポーティングのための方法を示す図。
【図１２】本開示の態様による、拡張ＭＴＣのためのＣＳＩリポーティングのための方法を示す図。
【図１３】本開示の態様による、拡張ＭＴＣのためのＣＳＩリポーティングのための方法を示す図。
【図１４】本開示の態様による、拡張ＭＴＣのためのＣＳＩリポーティングのための方法を示す図。
【図１５】本開示の態様による、拡張ＭＴＣのためのＣＳＩリポーティングのための方法を示す図。
【図１６】本開示の態様による、拡張ＭＴＣのためのＣＳＩリポーティングのための方法を示す図。
【発明を実施するための形態】
【００３０】
[0036]いくつかのワイヤレス通信システムは、送信機および受信機における１つのアンテナまたは複数のアンテナを伴う（involving）通信のための複数の（multiple）構成の使用をサポートし得る。各構成は送信モードと呼ばれることがあり、単入力単出力（ＳＩＳＯ：single input-single output）動作、多入力多出力（ＭＩＭＯ：multiple input-multiple output）動作、あるいは単一または複数の入力および出力の他の組合せに基づき得る。送信モードの選定は、システム中で動作するデバイスの能力に（たとえば、ユーザ機器（ＵＥ）カテゴリーに）、またはシステム内のチャネル条件に基づき得る。
【００３１】
[0037]システム内の様々なデバイスの能力、またはシステムの特定のチャネル条件は、特定の送信モードを用いて動作する特定のデバイスのオーバーヘッドに影響を及ぼし得る。例として、マルチアンテナデバイスのために設計された送信モードによって指定されたフィードバックは、より低い複雑度（たとえば、単一のアンテナ）のデバイスの場合、過剰（excess）シグナリングオーバーヘッドまたは望ましくない電力消費を生じ得る。したがって、デバイスは、たとえば、オーバーヘッドまたは電力消費を低減しようとして（in an effort to）、送信モードによって指定されたフィードバックパラメータとは無関係にフィードバックを与え得る。
【００３２】
[0038]異なる送信モードが、異なる制御信号および基準信号に関連し得る。たとえば、異なる送信モードは、異なるチャネル状態情報（ＣＳＩ）リポーティング構成を利用し得る。いくつかの場合には、ワイヤレスデバイスは、いくつの通信レイヤが使用されることになるかを決定するために、ＣＳＩリポート中のランク指示（ＲＩ）フィードバックを使用し得る。いくつかの場合には、ＣＳＩ計算のために使用される基準信号は送信モードに依存し得る。これは、基地局が、より効率的にＵＥと通信することを可能にし得る。
【００３３】
[0039]基地局は、異なる送信モードを使用して異なるＵＥと通信し得る。たとえば、いくつかのワイヤレスシステムは、拡張マシンタイプ通信（ｅＭＴＣ：enhanced machine-type-communication）ＵＥの動作をもサポートし得、これは、低コスト設計および低減された複雑度により、ランク１（すなわち、単一のレイヤ）通信に関連し得る（たとえば、ｅＭＴＣ  ＵＥは単一のアンテナを有し得る）。ランク１を連続的に使用し得る、単一のアンテナをもつＵＥの場合、（たとえば、繰り返し）ＲＩを送信することは、過剰シグナリングオーバーヘッドと増加された電力消費とを生じ得る。いくつかの場合には、ＵＥにおけるＣＳＩ計算手順が、ＵＥ能力に応じて変更され得る。
【００３４】
[0040]いくつかの場合には、ＵＥは、プリコーディング行列インジケータ（ＰＭＩ）とＲＩの両方をリポートするように構成され得るが、これらの指示を別々にリポートしないことがある。すなわち、各ＣＳＩリポートまたは一連のリポートは、ＰＭＩ情報とＲＩ情報の両方を含んでいることがある。しかし、いくつかの場合には、ＰＭＩは別々にリポートされ得、ランクは、明示的ＲＩシグナリングなしに決定され得る。たとえば、ＲＩなしにＰＭＩを通信することは、単一のアンテナをもつＵＥのために、または不十分な（poor）チャネル条件におけるＵＥのために使用され得る。いくつかの事例では、低複雑度カテゴリーに関連する特定のＵＥ（たとえば、ｅＭＴＣ  ＵＥ）、または不十分なチャネル条件下で動作する特定のＵＥにより、ＲＩは２以上（more than 1）であることを予想されないことになる。したがって、ＲＩシグナリング（たとえば、明示的シグナリング）は、シグナリングオーバーヘッド、電力消費、他のファクタ、または何らかの（some）組合せを低減するために、そのような状況においてＣＳＩリポート中で省略され得る。
【００３５】
[0041]上記で紹介された本開示の態様は、ワイヤレス通信システムのコンテキストにおいて以下で説明される。本開示の態様は、拡張ＭＴＣのための変更されたＣＳＩリポーティングに関する装置図、システム図、およびフローチャートによってさらに示され、それらを参照しながら説明される。
【００３６】
[0042]図１は、本開示の様々な態様による、拡張ＭＴＣのためのＣＳＩリポーティングをサポートするワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ（登録商標））／ＬＴＥアドバンスト（ＬＴＥ−Ａ）ネットワークであり得る。ワイヤレス通信システム１００は、プリコーディング行列情報（ＰＭＩ）を含むが、ランクインジケータ（ＲＩ）を含まない、低複雑度ＵＥ１１５によるＣＳＩリポートの送信をサポートし得る。ワイヤレス通信システム１００は、低複雑度ＵＥ１１５とマルチアンテナＵＥ１１５の両方のために使用される送信モードによって指定され得るように、ＲＩを与える他のＵＥ１１５との通信をもサポートし得る。
【００３７】
[0043]基地局１０５は、１つまたは複数の基地局アンテナを介してＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのＤＬ送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末（ＡＴ）、ハンドセット、ユーザエージェント、クライアント、または同様の用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。ＵＥ１１５のうちのいくつかは、低複雑度ＵＥ１１５または低コストＵＥ１１５と呼ばれることがあり、単一の受信アンテナを有し得る。
【００３８】
[0044]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００３９】
[0045]いくつかのタイプのワイヤレスデバイスは、自動化された通信を提供し得る。自動化されたワイヤレスデバイスは、マシンツーマシン（Ｍ２Ｍ）通信またはマシンタイプ通信（ＭＴＣ）を実装するものを含み得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。さらに、Ｍ２ＭまたはＭＴＣはまた、低複雑度および／または低電力消費に依拠するデバイス（たとえば、ウェアラブル（wearables））からの通信を指すことがある。
【００４０】
[0046]いくつかのＵＥ１１５は、情報を集めるか、または機械の自動化された挙動を可能にするように設計されたものなど、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的（ＰＨＹ）アクセス制御、ならびにトランザクションベースのビジネスの課金がある。ＭＴＣデバイスは、低減されたピークレートで半二重（一方向）通信を使用して動作し得る。ＭＴＣデバイスはまた、アクティブ通信に関与していないとき、電力節約「ディープスリープ」モードに入るように構成され得る。
【００４１】
[0047]基地局１０５は、チャネルを効率的に構成およびスケジュールするためにＵＥ１１５からチャネル状態情報を収集し得る。この情報は、チャネル状態リポートの形態でＵＥ１１５から送られ得る。チャネル状態リポートは、（たとえば、ＵＥ１１５のアンテナポートに基づいて）ＤＬ送信のために使用されるべきレイヤの数を要求するランクインジケータ（ＲＩ）と、（レイヤの数に基づいて）どのプリコーダ行列が使用されるべきであるかについての選好を示すＰＭＩと、使用され得る最高の変調およびコーディング方式（ＭＣＳ：modulation and coding scheme）を表すＣＱＩとを含んでいることがある。ＣＱＩは、ＣＲＳまたはＣＳＩ−ＲＳなどの所定のパイロットシンボルを受信した後にＵＥ１１５によって計算され得る。ＲＩは、ＵＥ１１５が空間多重化をサポートしない（または空間多重化モードにない）場合、除外され得る。いくつかの場合には、（ＲＩを含む）ＣＳＩは、物理アップリンク制御チャネル（ＰＵＣＣＨ：physical uplink control channel）または物理アップリンク共有チャネル（ＰＵＳＣＨ：physical uplink shared channel）上で送信され得、周期的または非周期的様式でトリガされ得る。
【００４２】
[0048]リポート中に含まれる情報のタイプはリポーティングタイプを決定する。チャネル状態リポートは、周期的または非周期的であり得る。すなわち、基地局１０５は、一定の間隔で周期的リポートを送るようにＵＥ１１５を構成し得、必要に応じて追加のリポートをも要求し得る。非周期的リポートは、セル帯域幅全体にわたるチャネル品質を示す広帯域リポート、最良のサブバンドのサブセットを示すＵＥ選択リポート、またはリポートされるサブバンドが基地局１０５によって選択される構成リポートを含み得る。
【００４３】
[0049]基地局１０５は、ＵＥ１１５のチャネル推定およびコヒーレント復調を助けるために、ＣＲＳなどの周期的パイロットシンボルを挿入し得る。ＣＲＳは、５０４個の異なるセル識別情報のうちの１つを含み得る。それらは、それらを雑音および干渉に対して耐性があるようにするために、４位相シフトキーイング（ＱＰＳＫ：quadrature phase shift keying）とブーストされた（たとえば、周囲のデータ要素よりも高い６ｄＢにおいて送信された）電力とを使用して変調され得る。ＣＲＳは、受信ＵＥ１１５のアンテナポートまたはレイヤの数（最高４つ）に基づいて各リソースブロック（ＲＢ）中の４〜１６個のリソース要素（ＲＥ）中に埋め込まれ得る。基地局１０５の地理的カバレージエリア１１０中のすべてのＵＥ１１５によって利用され得るＣＲＳに加えて、復調基準信号（ＤＭＲＳ）は、特定のＵＥ１１５を対象とし得、それらのＵＥ１１５に割り当てられたＲＢ上で送信され得る。
【００４４】
[0050]ＤＭＲＳは、それらが送信される各ＲＢ中の６つのＲＥ上に信号を含み得る。異なるアンテナポートのためのＤＭ−ＲＳは、それぞれ、同じ６つのＲＥを利用し得、（たとえば、異なるＲＥ中で１または−１の異なる組合せで各信号をマスキングする）異なる直交カバーコードを使用して区別され得る。いくつかの場合には、ＤＭＲＳの２つのセットは、隣接するＲＥ中で送信され得る。いくつかの場合には、ＣＳＩ基準信号（ＣＳＩ−ＲＳ）として知られる追加の基準信号が、ＣＳＩを生成するのを助けるために含まれ得る。ＵＬ上で、ＵＥ１１５は、それぞれ、リンク適応および復調のための周期的サウンディング基準信号（ＳＲＳ）とＵＬ  ＤＭＲＳの組合せを送信し得る。
【００４５】
[0051]したがって、低複雑度ＵＥ１１５は、ＣＳＩリポーティングのためのＲＩフィードバックパラメータを指定する送信モードを識別し得るが、適切なＣＳＩ構成がＲＩを除外すると決定し得る。ＵＥ１１５は、次いで、ＰＭＩをもつが、ＲＩをもたないＣＳＩリポートを送り、送信モードを使用して通信し続け得る。いくつかの場合には、ＰＭＩは、デフォルトランク（たとえば、単一のアンテナをもつデバイスの場合、１のランク）に基づき得る。いくつかの場合には、ＵＥカテゴリーが識別され得、ＣＳＩ構成がＲＩを除外するという決定は、ＵＥカテゴリーに少なくとも部分的に基づき得る。他の場合には、ＣＳＩ構成はチャネル条件に基づき得る。
【００４６】
[0052]図２は、拡張ＭＴＣのためのＣＳＩリポーティングのためのワイヤレス通信システム２００の一例を示す。ワイヤレス通信システム２００は、図１を参照しながら説明された対応するデバイスの例であり得る、基地局（ＢＳ）１０５−ａとＵＥ１１５−ａとを含み得る。ワイヤレス通信システム２００は、ＲＩを除外するＣＳＩ構成をもつＣＳＩリポーティングをサポートし得、ここで、ＣＳＩ構成はＰＭＩを含み得、ここで、ＰＭＩは、ＲＩまたはＵＥカテゴリーに基づき得る。いくつかの事例では、明示的ＲＩなしにＰＭＩのみを有するＣＳＩ構成は、１の暗示的ＲＩを示し得る。
【００４７】
[0053]ワイヤレス通信システム２００は、ＳＩＳＯ、ＭＩＭＯ、あるいは単一または複数の入力および出力の他の組合せなど、複数の構成、ならびに異なるビームフォーミング構成の使用をサポートし得る。送信モードの選定は、デバイスの能力に（たとえば、ユーザ機器（ＵＥ）カテゴリーに）、またはチャネル条件に基づき得る。異なる送信モードが、異なる制御信号および基準信号に関連し得る。たとえば、異なる送信モードは、異なるチャネル状態情報（ＣＳＩ）リポーティング構成を利用し得る。また、いくつかの送信モードは、セル固有基準信号（ＣＲＳ）に基づいて復調され得、他の送信モードは復調基準信号（ＤＭＲＳ）に基づき得る。
【００４８】
[0054]したがって、基地局１０５−ａは、異なる送信モードを使用して異なるＵＥ１１５と通信し得る。たとえば、基地局１０５−ａは、ＵＥ１１５−ｂなどの拡張ｅＭＴＣデバイスの動作をサポートし得、これは、低コスト設計および低減された複雑度により、ランク１（単一のレイヤ）通信をサポートするために制限され得る（たとえば、ｅＭＴＣ  ＵＥ１１５−ｂは単一のアンテナを有し得る）。単一のアンテナをもつ（したがって、ランク１を連続的に使用する）ＵＥ１１５の場合、ＲＩを送信または計算することは、過剰シグナリングオーバーヘッドと増加された電力消費とを生じ得る（may result in）。
【００４９】
[0055]いくつかの場合には、ワイヤレスデバイスは、いくつの通信レイヤが使用されることになるかを決定するために、ＣＳＩリポート中のＲＩフィードバックを使用し得る。たとえば、ＲＩは、ＵＥ１１５−ａおよびＵＥ１１５−ｂなどのＵＥによって使用されるアンテナの数に基づき得、基地局１０５−ａに、ＵＥの能力、またはチャネル条件の指示を与え得る。しかしながら、いくつかの場合には、ＲＩは暗示的に決定され得る。これは、基地局１０５−ａが、より効率的にＵＥ１１５と通信することを可能にし得る。たとえば、ＵＥ１１５と基地局１０５−ａとが、低減されたシグナリングオーバーヘッドを使用して通信し得る。
【００５０】
[0056]ＵＥ１１５は、ＰＭＩとＲＩの両方をリポートするように構成され得、これらの指示を別々にリポートしないことがある。すなわち、いくつかの場合には、各ＣＳＩリポートまたは一連のリポートは、ＰＭＩ情報とＲＩ情報の両方を含んでいることがあるが、他の場合には、ＰＭＩは別々にリポートされ得、ランクは、明示的ＲＩシグナリングなしに決定され得る。ＲＩなしにＰＭＩを通信することは、ＵＥ１１５−ｂなど、単一のアンテナをもつＵＥ１１５のために、またはＵＥ１１５−ａなど、不十分なチャネル条件におけるＵＥ１１５のために使用され得る。たとえば、ＰＭＩのみ（alone）をリポートすることは、複数のアンテナを有するワイヤレスデバイスにおけるビームフォーミング利得のために使用され得る（たとえば、８つの送信アンテナをもつＵＥ１１５−ａは、ランクが１に設定されているとき、ＲＩなしにＰＭＩをリポートし得る）。
【００５１】
[0057]ＵＥ１１５は、ＵＥ１１５のタイプまたはＵＥ１１５の能力に基づいて、明示的にまたは暗示的にのいずれかでＲＩを送信し得る。たとえば、ｅＭＴＣ  ＵＥ１１５−ｂは、上記で説明されたように、単一のアンテナを有することの結果として、ＲＩを送信しないことがある。追加または代替として、ＵＥ１１５は、ＰＭＩのみを送信し、ＲＩを送信しないように（たとえば、ＲＲＣメッセージングによって）構成され得る。いくつかの場合には、ＵＥはデフォルトＲＩで構成され得、ＰＭＩはデフォルトＲＩに基づき得る。
【００５２】
[0058]いくつかの場合には、ＲＩ送信は、０から１０２３の間の値をとり（take on）得るＲＩインデックスＩRIの値を設定することによって、暗示的に有効または無効にされ得、ここで、ＩRIは、基地局１０５−ａによってシグナリングされ得る。繰返しのために使用されるサブフレームは、以下の式を使用して識別され得る。
【００５３】
【数１】
2019501569.tif 000003
【００５４】
[0059]ここで、ｎfは、フレーム番号であり、ｎsは、スロット番号であり、ＮOFFSET,CQIとＮOFFSET,RIとは、オフセット位置に基づく構成変数（すなわち、リポーティングサイクルのサブフレームオフセット）であり、Ｈは、サイクル数と帯域幅パートの数とに基づくパラメータであり、Ｎpdは、ＣＱＩの周期であり、ＭRIは、構成変数ＩRIに基づく。
【００５５】
[0060]ＩRIについての異なる値とＭRIに対する関係（relation to）との例が、表１中に与えられる。いくつかの場合には、ＲＩの送信を防ぐ、ＭRIの特定の値があり得る。たとえば、ＲＩ＝１０２３は、ＭRI＝∞であることを示し得、ＲＩは送信されないことがある。
【００５６】
【表１】
2019501569.tif 000004
【００５７】
[0061]いくつかの場合には、ＲＩを送信しないように構成されたＵＥ１１５が、チャネル行列の推定に基づいてＣＳＩを計算し得る。たとえば、ＲＩの送信を防ぐフィードバック動作では、ＵＥ１１５は、全チャネル行列を推定し、（ＵＥ１１５構成に基づいて）所与のＲＩを仮定し、ＲＩ＝１と仮定してＰＭＩを選択し、対応するＣＱＩを算出し得る。
【００５８】
[0062]いくつかの場合には、ＵＥ１１５は、ＵＥ１１５が周期的フィードバックで構成されたとき、ＰＵＣＣＨ上でフィードバックを送信し得、フィードバック送信は、異なる状況に基づいて変化し得る。たとえば、ＵＥ１１５がＰＵＣＣＨ中でＰＭＩ／ＣＱＩ／ＲＩを送信すべきである場合、ＵＥ１１５は、ＰＭＩおよびＣＱＩのみを送信し得る。代替的に、ＵＥ１１５がＰＵＣＣＨ中でＲＩのみを送信すべきである場合、それは、ＰＵＣＣＨを送信することを控え得る。
【００５９】
[0063]いくつかの場合には、周期的ＣＳＩがＰＵＳＣＨ送信と衝突するとき、または非周期的ＣＳＩがダウンリンク制御情報からトリガされるとき、ＵＥ１１５は、ＰＵＳＣＨ中でＲＩを送信し得る。いくつかの例では、ＵＥ１１５がＰＵＳＣＨ上でＲＩを送信する場合、ＲＩシンボルはＰＵＳＣＨ送信をパンクチャし（puncture）得る。他の例では、ＵＥ１１５は、ＰＵＳＣＨ上でＲＩを送信しないことがあり、代わりに、構成されたＰＭＩを仮定してＰＵＳＣＨ上でＰＭＩを送信し得る。いくつかの場合には、ＵＥ１１５は、ＣＳＩ−ＲＳに基づいてＰＭＩ／ＣＱＩ／ＲＩ計算を実行し得る。たとえば、ｅＭＴＣ  ＵＥ１１５−ｂの場合、ＰＭＩ／ＣＱＩは、ＣＲＳに基づいて推定され得る。すなわち、ＲＩフィードバックのために使用される基準信号は、ＵＥ１１５の能力に依存し得る。
【００６０】
[0064]図３は、本開示の様々な態様による、拡張ＭＴＣのためのＣＳＩリポーティングをサポートするシステムのためのプロセスフロー３００の一例を示す。プロセスフロー３００は、図１〜図２を参照しながら説明された対応するデバイスの例であり得る、ＢＳ１０５−ａとＵＥ１１５−ａとを含み得る。
【００６１】
[0065]ステップ３０５において、ＵＥ１１５−ｃと基地局１０５−ｂとは、ＲＲＣ接続を確立し得る。ステップ３１０において、ＵＥ１１５−ｃと基地局１０５−ｂとは、ＣＳＩリポーティングのためのＲＩフィードバックパラメータを指定する送信モードを識別し、ＣＳＩ構成がＲＩを除外すると決定し得る。いくつかの場合には、ＵＥ１１５−ｃまたは基地局１０５−ｂは、ＵＥカテゴリーを識別し得、ここで、ＣＳＩ構成がＲＩを除外するという決定は、ＵＥカテゴリーに少なくとも部分的に基づく。
【００６２】
[0066]ＵＥ１１５−ｃはＵＥカテゴリーの指示を送信し得、基地局１０５−ｂはそれを受信し得、ここで、ＵＥカテゴリーの指示はランクを示す（is indicative of）。いくつかの場合には、基地局１０５−ｂは、ＣＳＩ構成を示すＲＲＣシグナリングを送信し得、ＵＥ１１５−ｃは、ＣＳＩ構成を示すＲＲＣシグナリングを受信し得る。いくつかの例では、ＵＥ１１５−ｃは、チャネル条件パラメータがしきい値を下回ると決定し得、ＣＳＩ構成がＲＩを除外するという決定は、チャネル条件パラメータがしきい値を下回るという決定に基づく。
【００６３】
[0067]いくつかの例では、ＵＥ１１５−ｃはＲＩインデックスを識別し得、ＣＳＩ構成がＲＩを除外するという決定は、ＲＩインデックスに基づく。ＣＳＩ構成は、周期的リポーティング構成を含み得る。いくつかの場合には、ＣＳＩ構成は、送信モードのダウンリンク制御情報フォーマットに関連する非周期的リポーティング構成を含む。
【００６４】
[0068]ＵＥ１１５−ｃまたは基地局１０５−ｂは、通信することのためのチャネルを表す行列を推定し、デフォルトＲＩに基づいてＰＭＩを選択し、ＰＭＩに対応するＣＱＩを決定し得る。いくつかの場合には、ＵＥ１１５−ｃまたは基地局１０５−ｂは、ＵＥ１１５−ｃのカテゴリーに基づいてチャネル推定のために使用するための基準信号タイプを識別し、識別された基準信号タイプの基準信号を使用してＰＭＩまたはＣＱＩのうちの少なくとも１つを決定し得、ここで、識別された基準信号タイプはＣＲＳを含む。
【００６５】
[0069]ステップ３１５において、基地局１０５−ｂは、１つまたは複数の基準信号をＵＥ１１５−ｃに送信し得る。ステップ３２０において、ＣＳＩ構成と基準信号とに基づいて、ＵＥ１１５−ｃはＣＳＩリポートを送信し得、基地局１０５−ｂはＣＳＩリポートを受信し得る。いくつかの場合には、ＣＳＩリポートはＰＭＩを含み、ここで、ＰＭＩはＲＩに基づく。いくつかの例では、ＣＳＩリポートはＰＭＩを含み、ＰＭＩはランクに基づき得る。いくつかの例では、ＣＳＩリポートを受信することは、ＣＳＩ構成に基づき得る。
【００６６】
[0070]ステップ３２５において、ＵＥ１１５−ｃと基地局１０５−ｂとは、ＣＳＩ構成に従って送信モードを使用して通信し得る。いくつかの場合には、通信は、基地局１０５−ｂが、ＣＳＩリポートに基づいてダウンリンクシグナリングを送信することと、ＵＥ１１５−ｃがダウンリンクシグナリングを受信することとを含む。いくつかの場合には、通信は、基地局１０５−ｂが、ＣＳＩリポートに基づいてダウンリンクシグナリングを送信することを含む。通信は、ＵＥ１１５−ｃが、ＣＳＩ構成に従ってＰＭＩを送信することと、基地局１０５−ｂがＰＭＩを受信することとを含み得、ＰＭＩは、ＲＲＣシグナリングによって構成されたデフォルトＲＩに関連し得る。
【００６７】
[0071]いくつかの例では、ＣＳＩ構成が周期的リポーティング構成を含むとき、通信は、ＰＭＩ、ＲＩまたはＣＱＩが送信のために利用可能である場合、制御チャネルを使用してＰＭＩ、ＲＩ、またはＣＱＩのうちの少なくとも１つをＵＥ１１５−ｃによって送信することと、ＰＭＩ、ＲＩまたはＣＱＩが送信のために利用不可能である場合、制御チャネルを送信することを控えることとを含む。いくつかの例では、ＣＳＩ構成が周期的リポーティング構成を含むとき、通信は、共有チャネルのためにスケジュールされたアップリンク送信とＣＳＩリポートとの間の衝突を識別することを含み、その共有チャネルを使用してＰＭＩを送信し得る。いくつかの場合には、ＣＳＩ構成が、送信モードのダウンリンク制御情報フォーマットに関連する非周期的リポーティング構成を含むとき、通信は、共有チャネルを使用してＰＭＩを送信することを含み得る。
【００６８】
[0072]図４は、本開示の様々な態様による、拡張ＭＴＣのための、変更されたＣＳＩリポーティングをサポートするワイヤレスデバイス４００のブロック図を示す。ワイヤレスデバイス４００は、図１および図２を参照しながら説明されたＵＥ１１５または基地局１０５の態様の一例であり得る。ワイヤレスデバイス４００は、受信機４０５と、ＣＳＩマネージャ４１０と、送信機４１５とを含み得る。ワイヤレスデバイス４００はプロセッサをも含み得る。これらの構成要素の各々は互いと通信していることがある。
【００６９】
[0073]受信機４０５は、パケット、ユーザデータ、または様々な情報チャネルに関連する制御情報（たとえば、制御チャネル、データチャネル、および拡張ＭＴＣのための変更されたＣＳＩリポーティングに関係する情報など）などの情報を受信し得る。情報は、デバイスの他の構成要素に受け渡され得る。受信機４０５は、図７を参照しながら説明されるトランシーバ７２５の態様の一例であり得る。
【００７０】
[0074]ＣＳＩマネージャ４１０は、ＣＳＩリポーティングのためのＲＩフィードバックパラメータを指定する送信モードを識別し、ＣＳＩ構成がＲＩを除外すると決定し、ＣＳＩ構成に従って送信モードを使用して通信し得る。ＣＳＩマネージャ４１０は、図７を参照しながら説明されるＣＳＩマネージャ７０５の態様の一例でもあり得る。ＣＳＩマネージャ４１０はまた、本開示の様々な態様による、ソフトウェア、ハードウェア、回路または回路構成、プロセッサ、別の構造要素、あるいはそれらの何らかの組合せの一例であり、および／またはそれに関係し得る。
【００７１】
[0075]送信機４１５は、ワイヤレスデバイス４００の他の構成要素から受信された信号を送信し得る。いくつかの例では、送信機４１５は、トランシーバモジュール中で受信機とコロケートされ得る。たとえば、送信機４１５は、図７を参照しながら説明されるトランシーバ７２５の態様の一例であり得る。送信機４１５は単一のアンテナを含み得るか、またはそれは複数のアンテナを含み得る。
【００７２】
[0076]図５は、本開示の様々な態様による、拡張ＭＴＣのための、変更されたＣＳＩリポーティングをサポートするワイヤレスデバイス５００のブロック図を示す。ワイヤレスデバイス５００は、図１、図２、および図４を参照しながら説明されたワイヤレスデバイス４００またはＵＥ１１５または基地局１０５の態様の一例であり得る。ワイヤレスデバイス５００は、受信機５０５と、ＣＳＩマネージャ５１０と、送信機５２５とを含み得る。ワイヤレスデバイス５００はプロセッサをも含み得る。これらの構成要素の各々は互いと通信していることがある。
【００７３】
[0077]受信機５０５は、デバイスの他の構成要素に受け渡され得る情報を受信し得る。受信機５０５はまた、図４の受信機４０５を参照しながら説明された機能を実行し得る。受信機５０５は、図７を参照しながら説明されるトランシーバ７２５の態様の一例であり得る。
【００７４】
[0078]ＣＳＩマネージャ５１０は、図４を参照しながら説明されたＣＳＩマネージャ４１０の態様の一例であり得る。ＣＳＩマネージャ５１０は、送信モード構成要素５１５とＣＳＩ構成構成要素５２０とを含み得る。ＣＳＩマネージャ５１０は、図７を参照しながら説明されるＣＳＩマネージャ７０５の態様の一例であり得る。
【００７５】
[0079]送信モード構成要素５１５は、ＣＳＩリポーティングのためのＲＩフィードバックパラメータを指定する送信モードを識別し、ＣＳＩ構成に従って送信モードを使用して通信し得る。
【００７６】
[0080]ＣＳＩ構成構成要素５２０は、ＣＳＩ構成がＲＩを除外すると決定し得る。いくつかの場合には、ＣＳＩ構成は周期的リポーティング構成を含み、通信することは、ＰＭＩ、ＲＩまたはＣＱＩが送信のために利用可能である場合、制御チャネルを使用してＰＭＩ、ＲＩまたはＣＱＩのうちの少なくとも１つを送信することと、ＰＭＩ、ＲＩ、またはＣＱＩが送信のために利用不可能である場合、制御チャネルを送信することを控えることとを含む。
【００７７】
[0081]いくつかの場合には、ＣＳＩ構成は周期的リポーティング構成を含み、通信することは、共有チャネルのためにスケジュールされたアップリンク送信とＣＳＩリポートとの間の衝突を識別することを含む。いくつかの場合には、ＣＳＩ構成は、送信モードのダウンリンク制御情報フォーマットに関連する非周期的リポーティング構成を含み、通信することは、共有チャネルを使用してＰＭＩを送信することを含む。
【００７８】
[0082]送信機５２５は、ワイヤレスデバイス５００の他の構成要素から受信された信号を送信し得る。いくつかの例では、送信機５２５は、トランシーバモジュール中で受信機とコロケートされ得る。たとえば、送信機５２５は、図７を参照しながら説明されるトランシーバ７２５の態様の一例であり得る。送信機５２５は単一のアンテナを利用し得るか、またはそれは複数のアンテナを利用し得る。
【００７９】
[0083]図６は、ワイヤレスデバイス４００またはワイヤレスデバイス５００の対応する構成要素の一例であり得るＣＳＩマネージャ６００のブロック図を示す。すなわち、ＣＳＩマネージャ６００は、図４および図５を参照しながら説明されたＣＳＩマネージャ４１０またはＣＳＩマネージャ５１０の態様の一例であり得る。ＣＳＩマネージャ６００は、図７を参照しながら説明されるＣＳＩマネージャ７０５の態様の一例でもあり得る。
【００８０】
[0084]ＣＳＩマネージャ６００は、送信モード構成要素６０５と、ＣＳＩ構成構成要素６１０と、ＣＳＩリポート構成要素６１５と、ＵＥカテゴリー構成要素６２０と、ＲＲＣ構成要素６２５と、チャネル条件構成要素６３０と、ＲＩインデックス構成要素６３５と、ＰＭＩ構成要素６４０と、基準信号構成要素６４５とを含み得る。これらのモジュールの各々は、直接または間接的に、（たとえば、１つまたは複数のバスを介して）互いと通信し得る。
【００８１】
[0085]送信モード構成要素６０５は、ＣＳＩリポーティングのためのＲＩフィードバックパラメータを指定する送信モードを識別し、ＣＳＩ構成に従って送信モードを使用して通信し得る。
【００８２】
[0086]ＣＳＩ構成構成要素６１０は、ＣＳＩ構成がＲＩを除外すると決定し得る。いくつかの場合には、ＣＳＩ構成は周期的リポーティング構成を含み、通信することは、ＰＭＩ、ＲＩまたはＣＱＩが送信のために利用可能である場合、制御チャネルを使用してＰＭＩ、ＲＩまたはＣＱＩのうちの少なくとも１つを送信することと、ＰＭＩ、ＲＩ、またはＣＱＩが送信のために利用不可能である場合、制御チャネルを送信することを控えることとを含む。
【００８３】
[0087]いくつかの場合には、ＣＳＩ構成は周期的リポーティング構成を含み、通信することは、ＣＳＩリポートと、共有チャネルのためにスケジュールされたアップリンク送信との間の衝突を識別することを含む。いくつかの場合には、ＣＳＩ構成は、送信モードのダウンリンク制御情報フォーマットに関連する非周期的リポーティング構成を含み、通信することは、共有チャネルを使用してＰＭＩを送信することを含む。
【００８４】
[0088]受信機４０５または５０５あるいは送信機４１５または５２５と組み合わせたＣＳＩリポート構成要素６１５は、ＣＳＩ構成に基づいてＣＳＩリポートを受信し、通信することは、ＣＳＩリポートに基づいてダウンリンクシグナリングを送信することを含み得、および、ＣＳＩ構成に基づいてＣＳＩリポートを送信し、通信することは、ＣＳＩリポートに基づいてダウンリンクシグナリングを受信することを含み得る。
【００８５】
[0089]いくつかの場合には、ＣＳＩリポートはＰＭＩを含み、ＰＭＩはＲＩに基づき得る。いくつかの場合には、ＣＳＩリポートはＰＭＩを含み、ＰＭＩはランクに基づき得る。いくつかの場合には、ＣＳＩリポートを受信することはＣＳＩ構成に基づき得る。
【００８６】
[0090]ＵＥカテゴリー構成要素６２０は、ユーザ機器カテゴリーを識別し得、ＣＳＩ構成がＲＩを除外するという決定は、ユーザ機器カテゴリーに基づき得る。ＵＥカテゴリー構成要素６２０はまた、ユーザ機器カテゴリーの指示を送信し得、ＵＥカテゴリーの指示はランクを示し得、ＵＥカテゴリー構成要素６２０はユーザ機器カテゴリーの指示を受信し得、ユーザ機器カテゴリーの指示はランクを示し得る。
【００８７】
[0091]ＲＲＣ構成要素６２５は、ＣＳＩ構成を示す無線リソース制御シグナリングを受信し、ＣＳＩ構成を示す無線リソース制御シグナリングを送信し得る。
【００８８】
[0092]チャネル条件構成要素６３０は、チャネル条件パラメータがしきい値を下回ると決定し得、ＣＳＩ構成がＲＩを除外するという決定は、チャネル条件パラメータがしきい値を下回るという決定に基づき得る。
【００８９】
[0093]ＲＩインデックス構成要素６３５は、ＲＩインデックスを識別し得、ＣＳＩ構成がＲＩを除外するという決定は、ＲＩインデックスに基づき得る。
【００９０】
[0094]ＰＭＩ構成要素６４０は、通信することのためのチャネルを表す行列を推定し、デフォルトＲＩに基づいてＰＭＩを選択し、ＰＭＩに対応するＣＱＩを決定し得、通信することは、ＣＱＩとＰＭＩとを送信することと、共有チャネルを使用してＰＭＩを送信することとを含み得る。いくつかの場合には、通信することは、ＣＳＩ構成に従ってＰＭＩを送信することを含み、ＰＭＩは、ＲＲＣシグナリングによって構成されたデフォルトＲＩに関連し得る。いくつかの場合には、通信することは、ＣＳＩ構成に従ってＰＭＩを受信することを含み、ＰＭＩは、ＲＲＣシグナリングによって構成されたデフォルトＲＩに関連し得る。
【００９１】
[0095]基準信号構成要素６４５は、ユーザ機器のカテゴリーに基づいてチャネル推定のために使用するための基準信号タイプを識別し、識別された基準信号タイプの基準信号を使用してＰＭＩまたはＣＱＩのうちの少なくとも１つを決定し得、通信することは、ＰＭＩまたはＣＱＩを送信することを含み得る。いくつかの場合には、識別された基準信号タイプはセル固有基準信号を含む。
【００９２】
[0096]図７は、本開示の様々な態様による、拡張ＭＴＣのための、変更された（modified）ＣＳＩリポーティングをサポートするデバイスを含むシステム７００の図を示す。たとえば、システム７００は、図１、図２、および図４〜図６を参照しながら説明されたように、ワイヤレスデバイス４００、ワイヤレスデバイス５００、またはＵＥ１１５の一例であり得る、ＵＥ１１５−ｄを含み得る。
【００９３】
[0097]ＵＥ１１５−ｄは、ＣＳＩマネージャ７０５と、プロセッサ７１０と、メモリ７１５と、トランシーバ７２５と、アンテナ７３０と、ＭＴＣモジュール７３５とをも含み得る。これらのモジュールの各々は、直接または間接的に、（たとえば、１つまたは複数のバスを介して）互いと通信し得る。ＣＳＩマネージャ７０５は、図４〜図６を参照しながら説明されたように、ＣＳＩマネージャの一例であり得る。プロセッサ７１０は、インテリジェントハードウェアデバイス（たとえば、汎用プロセッサ、デジタル信号プロセッサ（ＤＳＰ）、中央処理ユニット（ＣＰＵ）、マイクロコントローラ、特定用途向け集積回路（ＡＳＩＣ）、フィールドプログラマブルゲートアレイ（ＦＰＧＡ）、プログラマブル論理デバイス、個別ゲートまたはトランジスタ論理構成要素、個別ハードウェア構成要素、あるいはそれらの任意の組合せ）を含み得る。いくつかの場合には、プロセッサ７１０は、メモリコントローラを使用してメモリアレイを動作させるように構成され得る。他の場合には、メモリコントローラはプロセッサ７１０に組み込まれ得る。プロセッサ７１０は、様々な機能（たとえば、拡張ＭＴＣのためのＣＳＩリポーティングをサポートする、機能またはタスク）を実行するために、メモリに記憶されたコンピュータ可読命令を実行するように構成され得る。
【００９４】
[0098]メモリ７１５は、ランダムアクセスメモリ（ＲＡＭ）と読取り専用メモリ（ＲＯＭ）とを含み得る。メモリ７１５は、実行されたとき、プロセッサに本明細書で説明される様々な機能（たとえば、拡張ＭＴＣのための、変更されたＣＳＩリポーティングなど）を実行させる命令を含むコンピュータ可読、コンピュータ実行可能ソフトウェアを記憶し得る。いくつかの場合には、ソフトウェア７２０は、プロセッサによって直接的に実行可能でないことがあるが、（たとえば、コンパイルされ実行されたとき）コンピュータに本明細書で説明される機能を実行させ得る。
【００９５】
[0099]トランシーバ７２５は、上記で説明されたように、１つまたは複数のアンテナ、ワイヤードリンク、またはワイヤレスリンクを介して、１つまたは複数のネットワークと双方向に通信し得る。たとえば、トランシーバ７２５は、基地局１０５またはＵＥ１１５と双方向に通信し得る。トランシーバ７２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ７３０を含み得る。しかしながら、いくつかの場合には、デバイスは、複数のワイヤレス送信をコンカレントに送信または受信することが可能であり得る２つ以上のアンテナ７３０を有し得る。
【００９６】
[00100]ＭＴＣモジュール７３５は、図１を参照しながら上記で説明されたＭＴＣまたはｅＭＴＣ動作を可能にし得る。たとえば、ＭＴＣモジュール７３５は、狭帯域通信、単一のアンテナを使用する通信、または低減された制御シグナリングに基づく通信を可能にし得る。
【００９７】
[00101]図８は、本開示の様々な態様による、拡張ＭＴＣのための、変更されたＣＳＩリポーティングをサポートする構成されたデバイスを含むワイヤレスシステム８００の図を示す。たとえば、ワイヤレスシステム８００は、図１、図２および図４〜図６を参照しながら説明されたように、ワイヤレスデバイス４００、ワイヤレスデバイス５００、または基地局１０５の一例であり得る、基地局１０５−ｄを含み得る。基地局１０５−ｄは、通信を送信するための構成要素と通信を受信するための構成要素とを含む、双方向音声およびデータ通信のための構成要素をも含み得る。たとえば、基地局１０５−ｄは、１つまたは複数のＵＥ１１５と双方向に通信し得る。
【００９８】
[00102]基地局１０５−ｄはまた、ＣＳＩマネージャ８０５と、プロセッサ８１０と、メモリ８１５と、トランシーバ８２５と、アンテナ８３０と、基地局通信モジュール８３５と、ネットワーク通信モジュール８４０とを含み得る。これらのモジュールの各々は、直接または間接的に、（たとえば、１つまたは複数のバスを介して）互いと通信し得る。
【００９９】
[00103]ＣＳＩマネージャ８０５は、図４〜図６を参照しながら説明されたように、ＣＳＩマネージャの一例であり得る。プロセッサ８１０は、インテリジェントハードウェアデバイス（たとえば、ＣＰＵ、マイクロコントローラ、ＡＳＩＣなど）を含み得る。メモリ８１５はＲＡＭとＲＯＭとを含み得る。メモリ８１５は、実行されたとき、プロセッサに本明細書で説明される様々な機能（たとえば、拡張ＭＴＣのための、変更されたＣＳＩリポーティングなど）を実行させる命令を含むコンピュータ可読、コンピュータ実行可能ソフトウェアを記憶し得る。いくつかの場合には、ソフトウェア８２０は、プロセッサによって直接的に実行可能でないことがあるが、（たとえば、コンパイルされ実行されたとき）コンピュータに本明細書で説明される機能を実行させ得る。
【０１００】
[00104]トランシーバ８２５は、上記で説明されたように、１つまたは複数のアンテナ、ワイヤードリンク、またはワイヤレスリンクを介して、１つまたは複数のネットワークと双方向に通信し得る。たとえば、トランシーバ８２５は、基地局１０５またはＵＥ１１５と双方向に通信し得る。トランシーバ８２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ８３０を含み得る。しかしながら、いくつかの場合には、デバイスは、複数のワイヤレス送信をコンカレントに送信または受信することが可能であり得る２つ以上のアンテナ７３０を有し得る。
【０１０１】
[00105]基地局通信モジュール８３５は、他の基地局１０５との通信を管理し得、他の基地局１０５と協働してＵＥ１１５との通信を制御するためのコントローラまたはスケジューラを含み得る。たとえば、基地局通信モジュール８３５は、ビームフォーミングまたはジョイント送信などの様々な干渉緩和技法のためのＵＥ１１５への送信のためのスケジューリングを協調させ得る。いくつかの例では、基地局通信モジュール８３５は、基地局１０５間の通信を行うために、ＬＴＥ／ＬＴＥ−Ａワイヤレス通信ネットワーク技術内のＸ２インターフェースを与え得る。
【０１０２】
[00106]ネットワーク通信モジュール８４０は、（たとえば、１つまたは複数のワイヤードバックホールリンクを介して）コアネットワークとの通信を管理し得る。たとえば、ネットワーク通信モジュール８４０は、１つまたは複数のＵＥ１１５など、クライアントデバイスのためのデータ通信の転送を管理し得る。
【０１０３】
[00107]図９は、本開示の様々な態様による、拡張ＭＴＣのための、変更されたＣＳＩリポーティングのための方法９００を示すフローチャートを示す。方法９００の動作は、図１および図２を参照しながら説明されたように、ＵＥ１１５または基地局１０５あるいはそれの構成要素によって実装され得る。たとえば、方法９００の動作は、本明細書で説明されるように、ＣＳＩマネージャによって実行され得る。いくつかの例では、ＵＥ１１５または基地局１０５は、以下で説明される機能を実行するようにデバイスの機能要素を制御するためのコードのセットを実行し得る。追加または代替として、ＵＥ１１５または基地局１０５は、専用ハードウェアを使用して、以下で説明される機能の態様を実行し得る。
【０１０４】
[00108]ブロック９０５において、ＵＥ１１５または基地局１０５は、図２〜図３を参照しながら上記で説明されたように、ＣＳＩリポーティングのためのＲＩフィードバックパラメータを指定する送信モードを識別する。いくつかの例では、ブロック９０５の動作は、図５を参照しながら説明されたように、送信モード構成要素によって実行され得る。
【０１０５】
[00109]ブロック９１０において、ＵＥ１１５または基地局１０５は、図２〜図３を参照しながら上記で説明されたように、ＣＳＩ構成がＲＩを除外すると決定し得る。いくつかの例では、ブロック９１０の動作は、図５を参照しながら説明されたように、ＣＳＩ構成構成要素によって実行され得る。
【０１０６】
[00110]ブロック９１５において、ＵＥ１１５または基地局１０５は、図２〜図３を参照しながら上記で説明されたように、ＣＳＩ構成に従って送信モードを使用して通信し得る。いくつかの例では、ブロック９１５の動作は、図５を参照しながら説明されたように、送信モード構成要素によって実行され得る。
【０１０７】
[00111]図１０は、本開示の様々な態様による、拡張ＭＴＣのための、変更されたＣＳＩリポーティングのための方法１０００を示すフローチャートを示す。方法１０００の動作は、図１および図２を参照しながら説明されたように、ＵＥ１１５またはそれの構成要素によって実装され得る。たとえば、方法１０００の動作は、本明細書で説明されるように、ＣＳＩマネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０１０８】
[00112]ブロック１００５において、ＵＥ１１５は、図２〜図３を参照しながら上記で説明されたように、ＣＳＩリポーティングのためのＲＩフィードバックパラメータを指定する送信モードを識別し得る。いくつかの例では、ブロック１００５の動作は、図５を参照しながら説明されたように、送信モード構成要素によって実行され得る。
【０１０９】
[00113]ブロック１０１０において、ＵＥ１１５は、図２〜図３を参照しながら上記で説明されたように、ＣＳＩ構成がＲＩを除外すると決定し得る。いくつかの例では、ブロック１０１０の動作は、図５を参照しながら説明されたように、ＣＳＩ構成構成要素によって実行され得る。
【０１１０】
[00114]ブロック１０１５において、ＵＥ１１５は、図２〜図３を参照しながら上記で説明されたように、ＣＳＩ構成に基づいてＣＳＩリポートを送信し得、ここで、通信することは、ＣＳＩリポートに基づいてＤＬシグナリングを受信することを含む。いくつかの例では、ブロック１０１５の動作は、図５を参照しながら説明されたように、ＣＳＩリポート構成要素によって実行され得る。
【０１１１】
[00115]ブロック１０２０において、ＵＥ１１５は、図２〜図３を参照しながら上記で説明されたように、ＣＳＩ構成に従って送信モードを使用して通信し得る。いくつかの例では、ブロック１０２０の動作は、図５を参照しながら説明されたように、送信モード構成要素によって実行され得る。
【０１１２】
[00116]図１１は、本開示の様々な態様による、拡張ＭＴＣのための、変更されたＣＳＩリポーティングのための方法１１００を示すフローチャートを示す。方法１１００の動作は、図１および図２を参照しながら説明されたように、基地局１０５またはそれの構成要素によって実装され得る。たとえば、方法１１００の動作は、本明細書で説明されるように、ＣＳＩマネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０１１３】
[00117]ブロック１１０５において、基地局１０５は、図２〜図３を参照しながら上記で説明されたように、ＣＳＩリポーティングのためのＲＩフィードバックパラメータを指定する送信モードを識別し得る。いくつかの例では、ブロック１１０５の動作は、図５を参照しながら説明されたように、送信モード構成要素によって実行され得る。
【０１１４】
[00118]ブロック１１１０において、基地局１０５は、図２〜図３を参照しながら上記で説明されたように、ＣＳＩ構成がＲＩを除外すると決定し得る。いくつかの例では、ブロック１１１０の動作は、図５を参照しながら説明されたように、ＣＳＩ構成構成要素によって実行され得る。
【０１１５】
[00119]ブロック１１１５において、基地局１０５は、図２〜図３を参照しながら上記で説明されたように、ＣＳＩ構成に基づいてＣＳＩリポートを受信し得、ここで、通信することは、ＣＳＩリポートに基づいてＤＬシグナリングを送信することを含む。いくつかの例では、ブロック１１１５の動作は、図５を参照しながら説明されたように、ＣＳＩリポート構成要素によって実行され得る。
【０１１６】
[00120]ブロック１１２０において、基地局１０５は、図２〜図３を参照しながら上記で説明されたように、ＣＳＩ構成に従って送信モードを使用して通信し得る。いくつかの例では、ブロック１１２０の動作は、図５を参照しながら説明されたように、送信モード構成要素によって実行され得る。
【０１１７】
[00121]図１２は、本開示の様々な態様による、拡張ＭＴＣのための、変更されたＣＳＩリポーティングのための方法１２００を示すフローチャートを示す。方法１２００の動作は、図１および図２を参照しながら説明されたように、ＵＥ１１５または基地局１０５あるいはそれの構成要素によって実装され得る。たとえば、方法１２００の動作は、本明細書で説明されるように、ＣＳＩマネージャによって実行され得る。いくつかの例では、ＵＥ１１５または基地局１０５は、以下で説明される機能を実行するようにデバイスの機能要素を制御するためのコードのセットを実行し得る。追加または代替として、ＵＥ１１５または基地局１０５は、専用ハードウェアを使用して、以下で説明される機能の態様を実行し得る。
【０１１８】
[00122]ブロック１２０５において、ＵＥ１１５または基地局１０５は、図２〜図３を参照しながら上記で説明されたように、ＣＳＩリポーティングのためのＲＩフィードバックパラメータを指定する送信モードを識別し得る。いくつかの例では、ブロック１２０５の動作は、図５を参照しながら説明されたように、送信モード構成要素によって実行され得る。
【０１１９】
[00123]ブロック１２１０において、ＵＥ１１５または基地局１０５は、図２〜図３を参照しながら上記で説明されたように、ＵＥカテゴリーを識別し得る。いくつかの例では、ブロック１２１０の動作は、図５を参照しながら説明されたように、ＵＥカテゴリー構成要素によって実行され得る。
【０１２０】
[00124]ブロック１２１５において、ＵＥ１１５または基地局１０５は、図２〜図３を参照しながら上記で説明されたように、ＣＳＩ構成がＲＩを除外すると決定し得、ここで、ＣＳＩ構成がＲＩを除外するという決定は、ＵＥカテゴリーに少なくとも部分的に基づく。いくつかの例では、ブロック１２１５の動作は、図５を参照しながら説明されたように、ＣＳＩ構成構成要素によって実行され得る。
【０１２１】
[00125]ブロック１２２０において、ＵＥ１１５または基地局１０５は、図２〜図３を参照しながら上記で説明されたように、ＣＳＩ構成に従って送信モードを使用して通信し得る。いくつかの例では、ブロック１２２０の動作は、図５を参照しながら説明されたように、送信モード構成要素によって実行され得る。
【０１２２】
[00126]図１３は、本開示の様々な態様による、拡張ＭＴＣのための、変更されたＣＳＩリポーティングのための方法１３００を示すフローチャートを示す。方法１３００の動作は、図１および図２を参照しながら説明されたように、ＵＥ１１５または基地局１０５あるいはそれの構成要素によって実装され得る。たとえば、方法１３００の動作は、本明細書で説明されるように、ＣＳＩマネージャによって実行され得る。いくつかの例では、ＵＥ１１５または基地局１０５は、以下で説明される機能を実行するようにデバイスの機能要素を制御するためのコードのセットを実行し得る。追加または代替として、ＵＥ１１５または基地局１０５は、専用ハードウェアを使用して、以下で説明される機能の態様を実行し得る。
【０１２３】
[00127]ブロック１３０５において、ＵＥ１１５または基地局１０５は、図２〜図３を参照しながら上記で説明されたように、ＣＳＩリポーティングのためのＲＩフィードバックパラメータを指定する送信モードを識別し得る。いくつかの例では、ブロック１３０５の動作は、図５を参照しながら説明されたように、送信モード構成要素によって実行され得る。
【０１２４】
[00128]ブロック１３１０において、ＵＥ１１５または基地局１０５は、図２〜図３を参照しながら上記で説明されたように、チャネル条件（condition）パラメータがしきい値を下回ると決定し得る。いくつかの例では、ブロック１３１０の動作は、図５を参照しながら説明されたように、チャネル条件構成要素によって実行され得る。
【０１２５】
[00129]ブロック１３１５において、ＵＥ１１５または基地局１０５は、図２〜図３を参照しながら上記で説明されたように、ＣＳＩ構成がＲＩを除外すると決定し得、ここで、ＣＳＩ構成がＲＩを除外するという決定は、チャネル条件パラメータがしきい値を下回るという決定に基づく。いくつかの例では、ブロック１３１５の動作は、図５を参照しながら説明されたように、ＣＳＩ構成構成要素によって実行され得る。
【０１２６】
[00130]ブロック１３２０において、ＵＥ１１５または基地局１０５は、図２〜図３を参照しながら上記で説明されたように、ＣＳＩ構成に従って送信モードを使用して通信し得る。いくつかの例では、ブロック１３２０の動作は、図５を参照しながら説明されたように、送信モード構成要素によって実行され得る。
【０１２７】
[00131]図１４は、本開示の様々な態様による、拡張ＭＴＣのための、変更されたＣＳＩリポーティングのための方法１４００を示すフローチャートを示す。方法１４００の動作は、図１および図２を参照しながら説明されたように、ＵＥ１１５または基地局１０５あるいはそれの構成要素によって実装され得る。たとえば、方法１４００の動作は、本明細書で説明されるように、ＣＳＩマネージャによって実行され得る。いくつかの例では、ＵＥ１１５または基地局１０５は、以下で説明される機能を実行するようにデバイスの機能要素を制御するためのコードのセットを実行し得る。追加または代替として、ＵＥ１１５または基地局１０５は、専用ハードウェアを使用して、以下で説明される機能の態様を実行し得る。
【０１２８】
[00132]ブロック１４０５において、ＵＥ１１５または基地局１０５は、図２〜図３を参照しながら上記で説明されたように、ＣＳＩリポーティングのためのＲＩフィードバックパラメータを指定する送信モードを識別し得る。いくつかの例では、ブロック１４０５の動作は、図５を参照しながら説明されたように、送信モード構成要素によって実行され得る。
【０１２９】
[00133]ブロック１４１０において、ＵＥ１１５または基地局１０５は、図２〜図３を参照しながら上記で説明されたように、ＲＩインデックスを識別し得る。いくつかの例では、ブロック１４１０の動作は、図５を参照しながら説明されたように、ＲＩインデックス構成要素によって実行され得る。
【０１３０】
[00134]ブロック１４１５において、ＵＥ１１５または基地局１０５は、図２〜図３を参照しながら上記で説明されたように、ＣＳＩ構成がＲＩを除外すると決定し得、ここで、ＣＳＩ構成がＲＩを除外するという決定は、ＲＩインデックスに基づく。いくつかの例では、ブロック１４１５の動作は、図５を参照しながら説明されたように、ＣＳＩ構成構成要素によって実行され得る。
【０１３１】
[00135]ブロック１４２０において、ＵＥ１１５または基地局１０５は、図２〜図３を参照しながら上記で説明されたように、ＣＳＩ構成に従って送信モードを使用して通信し得。いくつかの例では、ブロック１４２０の動作は、図５を参照しながら説明されたように、送信モード構成要素によって実行され得る。
【０１３２】
[00136]図１５は、本開示の様々な態様による、拡張ＭＴＣのための、変更されたＣＳＩリポーティングのための方法１５００を示すフローチャートを示す。方法１５００の動作は、図１および図２を参照しながら説明されたように、ＵＥ１１５それの構成要素によって実装され得る。たとえば、方法１５００の動作は、本明細書で説明されるように、ＣＳＩマネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０１３３】
[00137]ブロック１５０５において、ＵＥ１１５は、図２〜図３を参照しながら上記で説明されたように、ＣＳＩリポーティングのためのＲＩフィードバックパラメータを指定する送信モードを識別し得る。いくつかの例では、ブロック１５０５の動作は、図５を参照しながら説明されたように、送信モード構成要素によって実行され得る。
【０１３４】
[00138]ブロック１５１０において、ＵＥ１１５は、図２〜図３を参照しながら上記で説明されたように、ＣＳＩ構成がＲＩを除外すると決定し得る。いくつかの例では、ブロック１５１０の動作は、図５を参照しながら説明されたように、ＣＳＩ構成構成要素によって実行され得る。
【０１３５】
[00139]ブロック１５１５において、ＵＥ１１５は、図２〜図３を参照しながら上記で説明されたように、通信することのためのチャネルを表す行列を推定し得る。いくつかの例では、ブロック１５１５の動作は、図５を参照しながら説明されたように、ＰＭＩ構成要素によって実行され得る。
【０１３６】
[00140]ブロック１５２０において、ＵＥ１１５は、図２〜図３を参照しながら上記で説明されたように、デフォルトＲＩに基づいてＰＭＩを選択し得る。いくつかの例では、ブロック１５２０の動作は、図５を参照しながら説明されたように、ＰＭＩ構成要素によって実行され得る。
【０１３７】
[00141]ブロック１５２５において、ＵＥ１１５は、図２〜図３を参照しながら上記で説明されたように、ＰＭＩに対応するＣＱＩを決定し得、ここで、通信することは、ＣＱＩとＰＭＩとを送信することを含む。いくつかの例では、ブロック１５２５の動作は、図５を参照しながら説明されたように、ＰＭＩ構成要素によって実行され得る。
【０１３８】
[00142]ブロック１５３０において、ＵＥ１１５は、図２〜図３を参照しながら上記で説明されたように、ＣＳＩ構成に従って送信モードを使用して通信し得る。いくつかの例では、ブロック１５３０の動作は、図５を参照しながら説明されたように、送信モード構成要素によって実行され得る。
【０１３９】
[00143]図１６は、本開示の様々な態様による、拡張ＭＴＣのための、変更されたＣＳＩリポーティングのための方法１６００を示すフローチャートを示す。方法１６００の動作は、図１および図２を参照しながら説明されたように、ＵＥ１１５または基地局１０５あるいはそれの構成要素によって実装され得る。たとえば、方法１６００の動作は、本明細書で説明されるように、ＣＳＩマネージャによって実行され得る。いくつかの例では、ＵＥ１１５または基地局１０５は、以下で説明される機能を実行するようにデバイスの機能要素を制御するためのコードのセットを実行し得る。追加または代替として、ＵＥ１１５または基地局１０５は、専用ハードウェアを使用して、以下で説明される機能の態様を実行し得る。
【０１４０】
[00144]ブロック１６０５において、ＵＥ１１５または基地局１０５は、図２〜図３を参照しながら上記で説明されたように、ＣＳＩリポーティングのためのＲＩフィードバックパラメータを指定する送信モードを識別する。いくつかの例では、ブロック１６０５の動作は、図５を参照しながら説明されたように、送信モード構成要素によって実行され得る。
【０１４１】
[00145]ブロック１６１０において、ＵＥ１１５または基地局１０５は、図２〜図３を参照しながら上記で説明されたように、ＣＳＩ構成がＲＩを除外すると決定し得る。いくつかの例では、ブロック１６１０の動作は、図５を参照しながら説明されたように、ＣＳＩ構成構成要素によって実行され得る。
【０１４２】
[00146]ブロック１６１５において、ＵＥ１１５または基地局１０５は、図２〜図３を参照しながら上記で説明されたように、ＵＥのカテゴリーに基づいてチャネル推定のために使用するための基準信号タイプを識別し得る。いくつかの例では、ブロック１６１５の動作は、図５を参照しながら説明されたように、基準信号構成要素によって実行され得る。
【０１４３】
[00147]ブロック１６２０において、ＵＥ１１５または基地局１０５は、図２〜図３を参照しながら上記で説明されたように、識別された基準信号タイプの基準信号を使用してＰＭＩまたはＣＱＩのうちの少なくとも１つを決定し得、ここで、通信することが、ＰＭＩまたはＣＱＩを送信することを含む。いくつかの例では、ブロック１６２０の動作は、図５を参照しながら説明されたように、基準信号構成要素によって実行され得る。
【０１４４】
[00148]ブロック１６２５において、ＵＥ１１５または基地局１０５は、図２〜図３を参照しながら上記で説明されたように、ＣＳＩ構成に従って送信モードを使用して通信し得る。いくつかの例では、ブロック１６２５の動作は、図５を参照しながら説明されたように、送信モード構成要素によって実行され得る。
【０１４５】
[00149]これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。たとえば、方法の各々の態様は、他の方法のステップまたは態様、あるいは本明細書で説明される他のステップまたは技法を含み得る。したがって、本開示の態様は、拡張ＭＴＣのための、変更されたＣＳＩリポーティングを与え得る。
【０１４６】
[00150]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【０１４７】
[00151]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なるＰＨＹロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「１つまたは複数の」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１４８】
[00152]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０１４９】
[00153]本明細書で説明される技法は、ＣＤＭＡ、ＴＤＭＡ、ＦＤＭＡ、ＯＦＤＭＡ、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、（モバイル通信用グローバルシステム（ＧＳＭ（登録商標）：Global System for Mobile communications））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ワイヤレスフィデリティ（Ｗｉ−Ｆｉ（登録商標）））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ユニバーサルモバイルテレコミュニケーションズシステム（ＵＭＴＳ：Universal Mobile Telecommunications System））の一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１５０】
[00154]本明細書で説明されたネットワークを含む、ＬＴＥ／ＬＴＥ−Ａネットワークでは、発展型ノードＢ（ｅＮＢ）という用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア（ＣＣ）、あるいはキャリアまたは基地局のカバレージエリア（たとえば、セクタなど）を表すために使用され得る３ＧＰＰ用語である。
【０１５１】
[00155]基地局は、基地トランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分を構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む様々なタイプの基地局およびネットワーク機器と通信することが可能であり得る。異なる技術のための重複する地理的カバレージエリアがあり得る。
【０１５２】
[00156]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、ＣＣ）をサポートし得る。ＵＥは、マクロｅＮＢ、スモールセルｅＮＢ、リレー基地局などを含む、様々なタイプの基地局およびネットワーク機器と通信することが可能であり得る。
【０１５３】
[00157]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【０１５４】
[00158]本明細書で説明されたＤＬ送信は順方向リンク送信と呼ばれることもあり、ＵＬ送信は逆方向リンク送信と呼ばれることもある。たとえば、図１および図２のワイヤレス通信システム１００および２００を含む、本明細書で説明された各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明された通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０１５５】
[00159]したがって、本開示の態様は、拡張ＭＴＣのための、変更されたＣＳＩリポーティングを与え得る。これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。
【０１５６】
[00160]本明細書の開示に関して説明された様々な例示的なブロックおよびモジュールは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。したがって、本明細書で説明された機能は、１つまたは複数の他の処理ユニット（またはコア）によって、少なくとも１つの集積回路（ＩＣ）上で実行され得る。様々な例では、当技術分野で知られている任意の様式でプログラムされ得る、異なるタイプのＩＣ（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１５７】
[00161]添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図１】
2019501569.tif 000005
【図２】
2019501569.tif 000006
【図３】
2019501569.tif 000007
【図４】
2019501569.tif 000008
【図５】
2019501569.tif 000009
【図６】
2019501569.tif 000010
【図７】
2019501569.tif 000011
【図８】
2019501569.tif 000012
【図９】
2019501569.tif 000013
【図１０】
2019501569.tif 000014
【図１１】
2019501569.tif 000015
【図１２】
2019501569.tif 000016
【図１３】
2019501569.tif 000017
【図１４】
2019501569.tif 000018
【図１５】
2019501569.tif 000019
【図１６】
2019501569.tif 000020
【国際調査報告】
2019501569.tif 000021
2019501569.tif 000022
2019501569.tif 000023